(57)【要約】      （修正有）【課題】折板屋根葺板の取付構造において、タイトフレーム間に架設される架設部材の強度及び板部材との接続強度を維持しつつ、当該架設部材の取付作業を容易とし得る天井板の支持構造を提供する。【解決手段】１対のプレート部材９が互いに結合され、そのプレート部材９間に板部材が挟装されてなるタイトフレームが梁上に固定される一方、隣合う梁のタイトフレーム間に架設部材が配され、架設部材は、ほぼ半面まで折り返されて立上部２２が形成され、立上部の下端が一方にほぼ垂直に折り曲げられ、さらに折り合わされることにより水平縁部が形成され、その水平縁部の底面に補強板が定着され、立上部を構成すべく折り返された一方の面の端に、板部材をその立上部の内部へ誘導する切れ目を備え、この架設部材が、両端で上記タイトフレームに取り付けられた板部材に接続されており、上記架設部材の隣合うもの同士の水平縁部により天井板が支持されている天井板の支持構造。【選択図】図１
0003156192.tif 000002
【実用新案登録請求の範囲】
【請求項１】
梁上に固定されるタイトフレームに吊子が取り付けられる一方、折板屋根葺板が、側縁の水平頂部に設けられた接合部で隣合うもの同士馳締めされることにより接合され、それら接合部間に上記吊子の一部が挟装されて固定されている折板屋根葺板の取付構造において、
１対のプレート部材が互いに結合され、そのプレート部材間に板部材が挟装されてなるタイトフレームが梁上に固定される一方、隣合う梁のタイトフレーム間に架設部材が配され、
架設部材は、ほぼ半面まで折り返されて立上部が形成され、立上部の下端が一方にほぼ垂直に折り曲げられ、さらに折り合わされることにより水平縁部が形成され、その水平縁部の底面に補強板が定着され、立上部を構成すべく折り返された一方の面の端に、板部材をその立上部の内部へ誘導する切れ目を備え、
この架設部材が、両端で上記タイトフレームに取り付けられた板部材に接続されており、上記架設部材の隣合うもの同士の水平縁部により天井板が支持されていることを特徴とする天井板の支持構造。
【請求項２】
上記タイトフレームは、上記梁上にほぼ垂直に立上する本体部、この本体部の下端に設けられて上記梁に固定される固定部、及び上記本体部の上端に設けられて上記水平頂部に当接して上記折板屋根葺板を支持する支持部を有するプレート部材と、
上記梁上にほぼ垂直に立上する本体部、この本体部の下端に設けられて上記梁に固定される固定部、及び上記本体部における支持部より低い位置に設けられて上記吊子が取り付けられる取付部を有するプレート部材が１対となり、
両プレート部材の本体部同士で互いに結合されていることを特徴とする前記請求項１に記載の天井板の支持構造。
【請求項３】
上記タイトフレームは、上記梁上にほぼ垂直に立上する本体部と、この本体部の下端に設けられて上記梁に固定される固定部と、上記本体部の上端に設けられて上記水平頂部に当接して上記折板屋根葺板を支持する支持部と、上記本体部における支持部より低い位置に設けられて上記吊子が取り付けられる取付部とを有する１対のプレート部材が、上記本体部同士で互いに結合されていることを特徴とする前記請求項１に記載の天井板の支持構造。
【考案の詳細な説明】
【技術分野】
【０００１】
本考案は、馳締めにて接合される折板屋根葺板（以下、折板と適宜記す。）がタイトフレームおよび吊子により梁上に取り付けられる折板の取付構造、および隣合う梁のタイトフレーム間に架け渡される架設部材にて天井板が支持される天井板の支持構造に関するものである。
【背景技術】
【０００２】
従来、工場や倉庫等の広面積の鉄骨建築物の屋根として折板屋根が多用されている。このような折板屋根は、例えば、下記特許文献１の図１１に示すように、金属板を断面がほぼＵ字形状となるように折り曲げられた長尺の折板が、隣合うもの同士で馳締めにて接合されてなり、梁にタイトフレームおよび吊子を介して取り付けられている。
【０００３】
タイトフレームは、通常、梁に溶接にて固定され、このタイトフレームに取り付けられる吊子は、上端部が折板の接合部分に挟み込まれて固定されている。
上記タイトフレームは、下記特許文献１の図１２の（ａ）ないし（ｄ）に示すように、１対のプレート部材が張り合わされて構成されている。
【０００４】
対を構成するプレート部材の組み合わせとして、例えば、両プレート部材が、各々、上記梁上にほぼ垂直に立上する本体部と、この本体部の下端に設けられて上記梁に固定される固定部と、上記本体部の上端に設けられて上記水平頂部に当接して上記折板を支持する支持部と、上記本体部における支持部より低い位置に設けられて上記吊子が取り付けられる取付部とを有する組み合わせや、一方のプレート部材が、本体部の下端に梁に固定される固定部が設けられるとともに、本体部の上端に折板を水平頂部で支持する支持部が設けられており、対を構成する他方のプレート部材が、本体部の下端に上記固定部と同様に梁に固定される固定部が設けられるとともに、上記支持部より低い位置の本体部の上端に吊子を取り付けるための取付部が設けられている組合せが挙げられる。
【０００５】
これらの取付部には、吊子をボルトおよびナットにより締着するための穴が設けられている。また、タイトフレームには、本体部の間に係止板がその中央部で挟装されている。
【０００６】
ところで、上記のような折板屋根を有する建築物の上部構造においては、タイトフレームに取り付けられる係止板を利用して天井を支持する構造を採用したものがある。
例えば、下記特許文献１の図１１に示すように、隣合う梁の間にジョイナが架け渡されており、隣合うジョイナにより天井板が支持されるようになっている。
【０００７】
上記ジョイナは、例えば、下記特許文献１の図１３に示すように、ほぼ半面まで折り返されて立上部が形成され、立上部の下端が一方にほぼ垂直に折り曲げられ、さらに折り合わされることにより板受部が形成されている。このジョイナは、立上部の折り返しの部分が、両端部でタイトフレームの係止板に係止されることにより、隣合う梁間で対向するタイトフレームに接続される。そして、このようにして配されたジョイナの板受部に天井板が受けられて、天井が構築される。
【０００８】
また、ジョイナは、一般に、１枚の鋼板の折り曲げにより形成されるので、数メートルの長さになると強度不足になりがちであり、天井板を支持するのに十分な強度が得られないこともあった。
【０００９】
そこで、図７に示す様に、ほぼ半面まで折り返されて立上部が形成され、立上部の下端が一方にほぼ垂直に折り曲げられ、さらに折り合わされることにより水平縁部が形成され、その水平縁部の底面に補強板が張り合わされたジョイナを用いた天井板の支持構造が案出されるに至った。
【先行技術文献】
【特許文献】
【００１０】
実開平５−１２５２１号公報
【考案の概要】
【考案が解決しようとする課題】
【００１１】
しかし、上記の如く補強板を張り合わせると、係止板とジヨイナを接続することが困難となり作業性が悪化することとなる。
本考案は、上記の事情に鑑みてなされたものであって、１対のプレート部材を結合させた構造を有するタイトフレームを採用する折板屋根葺板の取付構造において、上記のタイトフレーム間に架設される架設部材の強度及び板部材との接続強度を維持しつつ、当該架設部材の取付作業を容易とし得る天井板の支持構造の提供を目的としている。
【課題を解決するための手段】
【００１２】
上記課題を解決するために成された天井板の支持構造は、１対のプレート部材が互いに結合され、そのプレート部材間に板部材が挟装されてなるタイトフレームが梁上に固定される一方、隣合う梁のタイトフレーム間に架設部材（ジョイナ）が配され、架設部材は、ほぼ半面まで折り返されて立上部が形成され、立上部の下端が一方にほぼ垂直に折り曲げられ、さらに折り合わされることにより水平縁部が形成され、その水平縁部の底面に補強板が張り合わす等で定着され、立上部を構成すべく折り返された一方の面の端に、板部材をその立上部の内部へ誘導する切れ目を備え、この架設部材が、両端で上記タイトフレームに取り付けられた板部材に接続されており、上記架設部材の隣合うもの同士の水平縁部により天井板が支持されていることを特徴とする。
【００１３】
上記タイトフレームは、梁上に固定されるタイトフレームに吊子が取り付けられる一方、折板屋根葺板が、側縁の水平頂部に設けられた接合部で隣合うもの同士馳締めされることにより接合され、それら接合部間に上記吊子の一部が挟装されて固定されている折板屋根葺板の取付構造に適した構造を有する。
【００１４】
例えば、上記梁上にほぼ垂直に立上する本体部、この本体部の下端に設けられて上記梁に固定される固定部、及び上記本体部の上端に設けられて上記水平頂部に当接して上記折板屋根葺板を支持する支持部を有するプレート部材と、上記梁上にほぼ垂直に立上する本体部、この本体部の下端に設けられて上記梁に固定される固定部、及び上記本体部における支持部より低い位置に設けられて上記吊子が取り付けられる取付部を有するプレート部材が１対となり、両プレート部材の本体部同士で互いに結合されているタイトフレームが挙げられる。
【００１５】
例えば、上記梁上にほぼ垂直に立上する本体部と、この本体部の下端に設けられて上記梁に固定される固定部と、上記本体部の上端に設けられて上記水平頂部に当接して上記折板屋根葺板を支持する支持部と、上記本体部における支持部より低い位置に設けられて上記吊子が取り付けられる取付部とを有する１対のプレート部材が、上記本体部同士で互いに結合されているタイトフレームでも良い。
【００１６】
上記折板屋根葺板の取付構造では、タイトフレームが支持部と取付部とを有する１対のプレート部材が結合されてなっている場合は、隣接する折板屋根葺板の接合部分を中心として、その両側で折板屋根葺板の水平頂部が支持されるようになる。それゆえ、安定性が高まると共に、長尺で重量のある折板屋根葺板を支持するのに十分な強度が得られる。
【考案の効果】
【００１７】
本出願に係る天井板の支持構造は、架設部材における水平縁部の底面に補強板が張り合わされているので、天井板を支持する水平縁部が２重構造になり、架設部材の強度が増す。それゆえ、数メートルといった比較的長い架設部材であっても、天井板を支持するのに十分な強度を得ることができるという効果を奏する。また、当該天井板の支持構造の特徴であるところの切れ目を、立上部を構成すべく折り返された一方の面の端に設けることによって、係止板と架設部材を接続することが容易となり、作業性が向上する他、その切れ目を係止板の縁を避けて設けることにより切れ目から係止板が離脱することを防止できることとなる。
【図面の簡単な説明】
【００１８】
【図１】本考案による天井板の支持構造に用いる架設部材の一例を示す、（Ａ）は裏面図、（Ｂ）は側面図、及び（Ｃ）は正面図である。
【図２】本考案による天井板の支持構造の実施態様例を示す一部切欠した斜視図である。
【図３】本考案による天井板の支持構造に用いるタイトフレームの一例を示す斜視図である。
【図４】本考案による天井板の支持構造に用いるタイトフレームの一例を示す分解図である。
【図５】本考案による天井板の支持構造に用いるタイトフレームの一例を示す斜視図である。
【図６】本考案による天井板の支持構造に用いるタイトフレームの一例を示す分解図である。
【図７】本考案による天井板の支持構造に用いるタイトフレームの一例を示す、（Ａ）は正面図、（Ｂ）は側面図である。
【図８】本考案による天井板の支持構造に用いるタイトフレームで支持される折板の一例を示す斜視図である。
【考案を実施するための形態】
【００１９】
以下、本考案による天井板の支持構造を鉄骨構造の建築物に採用した実施の形態を図面に基づいて説明する。
【００２０】
本実施例に係る建築物は、図２に示すような上部構造を有している。この図において、折板屋根は、複数の折板１が隣接するもの同士で互いに馳締めされることにより接合されて形成され、梁２，２の上端面に固定されたタイトフレーム３と、タイトフレーム３に取り付けられた吊子４とで梁２，２上に取り付けられている。また、上記の折板屋根の下側には、ジョイナ５が、梁２，２間にタイトフレーム３の配置間隔をおいて互いに平行に架け渡されており、隣合うジョイナ５，５により天井板６が支持されている。
【００２１】
上記折板１は、断面がほぼＵ字形状をなすように折り曲げられて形成されて、水平底部１ａと、この水平底部１ａの両側端から上方に傾斜して相互に拡幅方向に延びる傾斜面１ｂ，１ｃとが設けられている（図８参照）。
【００２２】
傾斜面１ｂの上端には、そこから水平方向に外方へ延びる第１頂部１ｄが形成されている。水平頂部としての第１頂部１ｄには、その端縁から上方に垂直に延びる垂直面１ｅと、この垂直面１ｅの上端から第１頂部１ｄに平行に内方に折り曲げられた水平面１ｆとからなる接合部としての第１馳締部７が設けられている。
【００２３】
また、傾斜面１ｃの上端には、そこから水平方向に外方へ延びる第２頂部１ｇが形成されている。水平頂部としての第２頂部１ｇには、その端縁に第１馳締部７の断面形状よりもやや大きな内部空間を有するように断面逆Ｕ字形状に形成された接合部としての第２馳締部８が設けられている。
【００２４】
上記タイトフレーム３は、図４に示すように、１対のプレート部材９，９が、角根丸頭ボルト１０，１０および六角ナット１１，１１により締め付けられて互いに結合された構造をなしており、プレート部材９，９の間に係止板１２が取り付けられている。尚、一対のプレート部材は、ボルト及びナットに替えてリベットで結合してもよい。
【００２５】
プレート部材９は、一枚の鋼板の折り曲げ加工により、本体部１３、固定部１４、支持部１５および取付部１６が形成されてなっている。
【００２６】
本体部１３は、上下方向に長く形成されるとともに、中央部のやや下方から中央部にかけて幅が広くなるように形成されている。また、本体部１３には、補強のための隆起部１３ａ，１３ｂが、ほぼ平行に上下方向へ延びるように設けられている。さらに、これら隆起部１３ａ，１３ｂの間には、上下に所定の間隔をおいて、角根丸頭ボルト１０を嵌挿させるための角穴１３ｃ，１３ｃ（図４参照）が穿設されている。
【００２７】
固定部１４は、本体部１３の下端からほぼ垂直に伸びており、上記隆起部１３ａ，１３ｂに続く隆起部１４ａ，１４ｂを有している。
【００２８】
支持部１５は、本体部１３の上端の隆起部１３ａ側に設けられており、前記折板１の傾斜面１ｂと第１頂部１ｄまたは傾斜面１ｃと第２頂部１ｇに当接して支持するようになっている。この支持部１５は、本体部１３の上端から小さい段差を有して上方に垂直に延びる垂直面１５ａと、この垂直面１５ａの上端から上記固定部１４と同方向へ延びる水平面１５ｂと、この水平面１５ｂの端から下方へ折板１の傾斜面１ｂまたは傾斜面１ｃと同方向に傾斜する傾斜面１５ｃとからなっている。支持部１５は、垂直面１５ａ、水平面１５ｂおよび傾斜面１５ｃにわたり、上記隆起部１３ａのうち一方に続く隆起部１５ｄを有している。
【００２９】
取付部１６は、本体部１３の上端の隆起部１３ｂ側に設けられており、上記吊子４が角根丸頭ボルト１７および六角ナット１８（図４参照）により締結して取り付けられるようになっている。尚、取付部と吊子は、ボルト及びナットに替えてリベットで結合してもよい。
この取付部１６は、本体部１３の上端から上記水平面１５ｂと同方向へ延びる水平面１６ａと、この水平面１６ａの端から上記傾斜面１５ｃと同方向に傾斜する傾斜面１６ｂとからなっている。水平面１６ａには、ほぼ中央部に角根丸頭ボルト１７を嵌挿させるための長角穴１６ｃが設けられている。長角穴１６ｃは、本体部１３と垂直な方向へ長く形成されており、その方向に沿った側辺が下方に折り曲げられて折曲片１６ｄ，１６ｄを形成している。
【００３０】
板部材としての係止板１２は、金属板で長方形に形成されており、本体部１３，１３の下部の間に本体部１３，１３の幅方向両側へ突出した状態に挟装されている。
【００３１】
タイトフレーム３は、上記のように構成されるプレート部材９，９を用いて、以下のように組み立てられる。図４に示すように、まず、プレート部材９，９のそれぞれの固定部１４，１４、支持部１５，１５および取付部１６，１６を外方に向けて本体部１３，１３を対向させ、対向する本体部１３，１３の間に係止板１２を配する。次いで、一方の本体部１３の角穴１３ｃ，１３ｃに角根丸頭ボルト１０，１０の角根部を嵌挿させ、下側の角根丸頭ボルト１０のみ係止板１２の穴１２ａに挿通させ、さらに角根丸頭ボルト１０，１０を他方の本体部１３の角穴１３ｃ，１３ｃに挿通させた状態で、角根丸頭ボルト１０，１０のねじ部に六角ナット１１，１１を締め付ける。
【００３２】
一方、吊子４は、図４に示すように、上方に向かうにつれて幅の広くなる連結本体部１９を有している。この連結本体部１９の上端には、連結本体部１９に垂直な方向に延びる水平面２０ａと、この水平面２０ａの端からさらに下方へ垂直に延びる垂直面２０ｂとを有しており、これら水平面２０ａと垂直面２０ｂとで、折板１の第１馳締部７に係合する係合部２０が形成されている。また、連結本体部１９の下端には、水平面２０ａと反対方向へ延びる取付部２１が設けられている。取付部２１は、前記取付部１６の長角穴１６ｃと同方向に長い長穴２１ａが設けられるとともに、端から取付部１６の傾斜面１６ｂに沿う傾斜面２１ｂが設けられている。
上記のように構成される吊子４は、図３に示すように、プレート部材９の取付部１６に取付部２１が合わされ、長角穴１６ｃと長穴２１ａとに挿通された角根丸頭ボルト１７が六角ナット１８で締め付けられることにより、タイトフレーム３における一方のプレート部材９に取り付けられる。
【００３３】
架設部材としてのジョイナ５は、図１に示すように、ほぼ中央に立上する立上部２２と、この立上部２２の下端から両側外方へ水平方向へ延びる板受部２３，２３と、これら板受部２３，２３の底面に張り合わされる底面部２４とからなっており、その断面がほぼＴ字形状をなしている。
【００３４】
立上部２２は、鋼板が折り合わされて形成され、水平縁部としての板受部２３，２３は、立上部２２の下端から立上部２２に対しほぼ垂直に折り曲げられて形成されている。立上部２２を構成すべく折り返された一方の面の端には、係止板１２をその立上部２２の内部へ誘導する切れ目２５を備えている。また、板受部２３は、天井板６を両側縁部で支持するように所定の幅を有して設けられている。
【００３５】
補強板としての底面部２４は、板受部２３の両端部で板受部２３より所定の長さだけ短くなるように形成され、その両側縁部が板受部２３，２３の上端面側に折り曲げられることにより板受部２３，２３に張り合わされている。上記所定の長さは、立上部２２の係止板１２への接続が妨げられないような長さに設定されている。
【００３６】
天井板６は、グラスウール等の断熱性，遮音性，耐火性を有する材料からなる板状の部材であり、タイトフレーム３の梁２上における配置間隔よりやや狭い幅に形成されている。
【００３７】
ここで、上記の構成による折板屋根および天井の構築について説明する。
【００３８】
まず、図２に示すように、梁２の全長にわたり折板１の幅に応じた間隔でタイトフレーム３を配置して溶接にて固定する。次いで、隣合う梁２，２において対向するタイトフレーム３，３の間にジョイナ５を架け渡し、立上部２２の一方の端部の隙間に係止板１２を挿入し、他の端部に設けられた切れ目２５から係止板１２を滑り込ませて、ジョイナ５の各端部を係止板１２，１２に係止させることにより、タイトフレーム３，３に接続する。その際、立上部２２は、天井板６の配置領域を区画する一方、両端部が前記係止板１２に係止した状態でタイトフレーム３に接続されるようになっている。また、隣合うジョイナ５，５で区画される領域に天井板６を配置する。その際、切れ目２５は、接続した係止板１２の下位に位置し、天井板６の自重により、係止板１２の切れ目２５からの脱出が抑制される。
【００３９】
一方、すでに配置されている折板１に対してタイトフレーム３との結合を行う。このとき、吊子４をタイトフレーム３に取り付けるとともに、吊子４の係合部２０を折板１の第１馳締部７に引っ掛けておく。
【００４０】
続いて、上記のようにタイトフレーム３および吊子４により固定された折板１の隣に、図２に示すように、次の折板１を配置する。このとき、上記の固定された折板１における第１馳締部７に上方から配置する折板１の第２馳締部８を重ね合わせ、第１馳締部７と第２馳締部８との間に吊子４の係合部２０を挟み込ませる。そして、上記の第２馳締部８を自動あるいは手動の馳締め機を用いて長手方向に馳締めしていくことによって、第２馳締部８の端縁部が第１馳締部７の水平面１ｆの底面側に折り込まれ、隣接する折板１，１が第１馳締部７と第２馳締部８とで接合される。また、馳締めを行うことにより、吊子４は、係合部２０の垂直面２０ｂが第２馳締部８と同様に水平面１ｆの底面側に折り込まれて、第１馳締部７と係合関係を保った状態で結合される。
【００４１】
以降は、上記のような作業を順次繰り返すことにより、折板屋根とともに天井が構築される。
【００４２】
以上述べたように、本実施例では、隣接する折板１，１の第１頂部１ｄと第２頂部１ｇとが、タイトフレーム３を構成する１対のプレート部材９，９に設けられた支持部１５，１５により支持される構造を採用しているので、折板屋根全体の支持強度を増大させることができる。また、隣接する折板１の接合部分を中心として、その両側の折板屋根葺板の水平頂部が支持部１５で支持されるようになる。それゆえ、長尺で重量のある折板１を支持するのに十分な強度を得ることができるという効果を奏する。
【００４３】
更に、ジョイナ５における板受部２３，２３の底面に底面部２４が張り合わされているので、ジョイナ５の強度が増し、天井板６の支持強度を増大させることができる。
【００４４】
なお、本実施例におけるタイトフレーム３は、同一のプレート部材９，９で構成されているが、本考案に関しては必ずしも同一のプレート部材９，９を採用する必要はない。すなわち、プレート部材９，９は、それぞれが上記に説明したような機能と同等の機能を備えておればよく、細部の形状の差異を問うものではない。
【００４５】
たとえば、図５及び図６に示すタイトフレームは、一枚の鋼板の折り曲げ加工により形成された、相異なる一対のプレート部材９，９で構成されている。一方のプレート部材９は、梁２上にほぼ垂直に立上する本体部２６、この本体部２６の下端に設けられて上記梁２に固定される固定部２７、及び上記本体部２６の上端に設けられて上記水平頂部に当接して上記折板１を支持する支持部２８を有し、もう一方のプレート部材９は、梁２上にほぼ垂直に立上する本体部２６、この本体部２６の下端に設けられて上記梁２に固定される固定部２７、及び上記本体部２６における支持部２８より低い位置に設けられて上記吊子４が取り付けられる取付部２９を有する。両プレート部材９，９は、各々の本体部２６同士で互いに結合されることにより一個のタイトフレームを形成している。
【００４６】
本体部２６は、上下方向に長く形成されるとともに、この例では、幅が略一様になるように形成されている。また、本体部２６には、補強のための隆起部２６ａ，２６ｂが、ほぼ平行に上下方向へ延びるように設けられている。さらに、これら隆起部２６ａ，２６ｂの間には、上下に所定の間隔をおいて、角根丸頭ボルト１０を嵌挿させるための角穴２６ｃ，２６ｃ（図６参照）が穿設されている。
【００４７】
固定部２７は、本体部２６の下端からほぼ垂直に伸びており、上記隆起部２６ａ，２６ｂに続く隆起部２７ａ，２７ｂを有している。
【００４８】
支持部２８は、一方のプレート部材９の本体部２６の上端に設けられており、前記折板１の傾斜面１ｂと第１頂部１ｄまたは傾斜面１ｃと第２頂部１ｇに当接して支持するようになっている。この支持部２８は、本体部２６の上端から小さい段差を有して上方に垂直に延びる垂直面２８ａと、この垂直面２８ａの上端から上記固定部２７と同方向へ延びる水平面２８ｂと、この水平面２８ｂの端から下方へ折板１の傾斜面１ｂまたは傾斜面１ｃと同方向に傾斜する傾斜面２８ｃとからなっている。支持部２８は、垂直面２８ａ、水平面２８ｂおよび傾斜面２８ｃにわたり、上記隆起部２６ａのうち一方に続く隆起部２８ｄを有している。
【００４９】
取付部２９は、もう一方のプレート部材９の本体部２６の上端に設けられており、上記吊子４が角根丸頭ボルト１７および六角ナット１８（図６参照）により締結して取り付けられるようになっている。この取付部２９は、本体部２６の上端から上記固定部２７と同方向へ延びる水平面２９ａと、この水平面２９ａの端から下方へ折板１の傾斜面１ｂまたは傾斜面１ｃと同方向に傾斜する傾斜面２９ｂとからなっている。水平面２９ａには、ほぼ中央部に角根丸頭ボルト１７を嵌挿させるための長角穴２９ｃが設けられている。長角穴２９ｃは、本体部２６と垂直な方向へ長く形成されており、その方向に沿った側辺が下方に折り曲げられて折曲片２９ｄ，２９ｄを形成している。
【符号の説明】
【００５０】
１  折板，１ａ  水平底部，１ｂ  傾斜面，１ｃ  傾斜面，１ｄ  第１頂部，１ｅ  垂直面，
１ｆ  水平面，１ｇ  第２頂部，
２  梁，３  タイトフレーム，４  吊子，５  ジョイナ，６  天井板，
７  第１馳締部，８  第２馳締部，９  プレート部材，
１０  角根丸頭ボルト，１１  六角ナット，
１２  係止板，１２ａ  穴，
１３  本体部，１３ａ  隆起部，１３ｂ  隆起部，１３ｃ  角穴，
１４  固定部，１４ａ  隆起部，１４ｂ  隆起部，
１５  支持部，１５ａ  垂直面，１５ｂ  水平面，１５ｃ  傾斜面，１５ｄ  隆起部，
１６  取付部，１６ａ  水平面，１６ｂ  傾斜面，１６ｃ  長角穴，１６ｄ  折曲片，
１７  角根丸頭ボルト，１８  六角ナット，
１９  連結本体部，
２０  係合部，２０ａ  水平面，２０ｂ  垂直面，
２１  取付部，２１ａ  長穴，２１ｂ  傾斜面，
２２  立上部，２３  板受部，２４  底面部，２５  切れ目，
２６  本体部，２６ａ  隆起部，２６ｂ  隆起部，２６ｃ  角穴，
２７  固定部，２７ａ  隆起部，２７ｂ  隆起部，
２８  支持部，２８ａ  垂直面，２８ｂ  水平面，２８ｃ  傾斜面，２８ｄ  隆起部，
２９  取付部，２９ａ  水平面，２９ｂ  傾斜面，２９ｃ  長角穴，２９ｄ  折曲片，
【図１】
0003156192.tif 000003
【図２】
0003156192.tif 000004
【図３】
0003156192.tif 000005
【図４】
0003156192.tif 000006
【図５】
0003156192.tif 000007
【図６】
0003156192.tif 000008
【図７】
0003156192.tif 000009
【図８】
0003156192.tif 000010